(57)【要約】  使用中の水不足による分析の中断を自動的に防止することができる自動分析装置として、外部から供給される水を使用する複数の分析部と、前記分析部に動作の指示を与える操作部と、前記分析部の動作を制御するプログラムを実行する制御部とを有し、前記制御部は、前記操作部を通じて入力された指示に応じ、水を使用するメンテナンスを全ての前記分析部について同時に実行するか時間差で実行するかを切り替える自動分析装置を使用する。
2017033597.tif 000002
【特許請求の範囲】
【請求項１】
外部から供給される水を使用する複数の分析部と、
前記分析部に動作の指示を与える操作部と、
前記分析部の動作を制御するプログラムを実行する制御部と
を有し、
前記制御部は、前記操作部を通じて入力された指示に応じ、水を使用するメンテナンスを全ての前記分析部について同時に実行するか時間差で実行するかを切り替える
ことを特徴とする自動分析装置。
【請求項２】
請求項１に記載の自動分析装置において、
前記操作部は、水を使用するメンテナンスを全ての前記分析部について同時に実行するか時間差で実行するかを指定入力するためのメンテナンス実行指示画面を表示し、
前記制御部は、前記メンテナンス実行指示画面を通じて入力された指示に応じ、水を使用するメンテナンスを全ての前記分析部について同時に実行するか時間差で実行するかを切り替える
ことを特徴とする自動分析装置。
【請求項３】
請求項１に記載の自動分析装置において、
前記水を使用するメンテナンスは、反応槽の水交換メンテナンスである
ことを特徴とする自動分析装置。
【請求項４】
請求項１に記載の自動分析装置において、
前記制御部は、記憶部に記憶されている設定に応じ、水を使用するメンテナンスを全ての前記分析部について同時に実行するか時間差で実行するかを切り替える
ことを特徴とする自動分析装置。
【請求項５】
請求項１に記載の自動分析装置において、
前記制御部は、水を使用するメンテナンスを時間差で実行する場合、前記メンテナンスを一部の前記分析部について同時に実行し、その後、残りの分析部について前記メンテナンスを実行する
ことを特徴とする自動分析装置。
【請求項６】
請求項１に記載の自動分析装置において、
前記制御部は、水を使用するメンテナンスを時間差で実行する場合に、前記メンテナンスを同時に実行する前記分析部の台数の最大値を入力する指示領域を含むメンテナンス実行指示画面を表示し、
前記制御部は、前記最大値に基づいて、水を使用するメンテナンスの実行を制御する
ことを特徴とする自動分析装置。
【請求項７】
請求項１に記載の自動分析装置において、
前記操作部は、搭載されている前記分析部の一部のみが稼働している場合、稼働している前記分析部の台数を、水を使用するメンテナンスを同時に実行させる前記分析部の最大値として、水を使用するメンテナンスの実行を制御する
ことを特徴とする自動分析装置。
【請求項８】
請求項１に記載の自動分析装置において、
前記操作部は、外部からの水の供給量を入力する第１の指定領域と、前記分析部が使用する水の必要量を個別に入力する第２の指定領域を含む水交換時水使用量設定画面を表示し、
前記制御部は、前記必要量の合計値が前記水の供給量を超えない場合、水を使用するメンテナンスを全ての前記分析部について同時に実行させ、前記必要量の合計値が前記水の供給量を超える場合、前記必要量の合計値が前記水の供給量を超えない前記分析部の組み合わせを決定し、決定された組み合わせに基づいて水を使用するメンテナンスの実行を制御する
ことを特徴とする自動分析装置。 
【発明の詳細な説明】
【技術分野】
【０００１】
本発明は、複数の分析部を有し、水の使用量が動作状態によって変化する自動分析装置に関する。
【背景技術】
【０００２】
生化学自動分析装置に代表される血液自動分析装置は、患者から採取した検体の測定を同時並行的に実行する装置である。このような装置では、ある患者から採取した検体に含まれる成分が別の患者から採取した検体の測定に影響しないように、各部の洗浄が行われる。水道水には、ゴミや分析結果に影響する成分が含まれることがあるため、洗浄には、純水供給装置等によって精製された純水が用いられることが多い。【０００３】
時間当たりに多くの検体を処理する自動分析装置では、単位動作サイクルが数秒未満まで短くなっており、十分な洗浄が行えないこともある。このため、汚れが蓄積しないように、メンテナンスの実行が欠かせない。一方で、メンテナンスでは、まとまった時間をかけて洗浄を行うため、検体の測定時に使用する量よりも、多くの量の純水を使用する。【０００４】
自動分析装置を施設に導入するときには、メンテナンスを何時実行してもいいように、最大使用量の純水を供給可能な純水供給装置を用意することが一般的である。しかし、自動分析装置は、何時も最大使用量の純水を使用しているわけではない。そのことに気付いたユーザの中には、新たに導入する自動分析装置にも稼働中の純水供給装置を使用できないかと考えて、自動分析装置が常時使用する純水の水量をメーカに問い合わせることがある。また、ユーザの中には、純水供給装置と自動分析装置の間に貯水槽を接続し、当該貯水槽内にメンテナンス等の限られた使用時に必要となる水量を蓄えることもある。【０００５】
複数の分析部を有する自動分析装置には、個々の分析部を個別に動作できるものがある。この種の自動分析装置では、純水供給装置の供給能力を超えないように、分析部のメンテナンスを１つずつ順番に実行することにより水不足を回避する。【０００６】
しかし、これらの工夫によっても水不足を完全に回避できるとは限らない。例えば純水供給装置の供給能力の変動や自動分析装置の機差による使用量の差異などにより、水不足が発生してしまう可能性がある。また、貯水槽を使用する場合でも、保存されている純水に雑菌が繁殖する可能性があり、貯水槽の定期的なメンテナンスが必要になる。また、貯水槽や配管によって、検査室内の少なくない空間が占有されてしまう。【０００７】
また、複数の分析部を有する自動分析装置において、分析部のメンテナンスを順番に行うには、一つ目の分析部のメンテナンスが終わった頃に、二つ目の分析部のメンテナンスの開始をユーザが指示する必要があり、ユーザの煩雑さは避けられない。【０００８】
こうした状況を軽減するために、特許文献１には、装置立ち上げ時に一時的に増大する水の消費量を低減する方法が開示されている。この方法は、オペレーション中に使用するのに必要な水量を超えないように、装置立ち上げ時の各部の処理を制御する方法である。
【先行技術文献】
【特許文献】
【０００９】
【特許文献１】特開２００１−２２８１６０号公報
【発明の概要】
【発明が解決しようとする課題】
【００１０】
しかし、特許文献１に記載の技術では、装置立ち上げ後に実行されるメンテナンスには効果を発揮しない。また、特許文献１に記載の技術では、検査室に存在する他の装置の水の使用状況に応じ、水の使用量を抑えるべきか、それとも最大使用量を使用してもよいかを使用者が工夫する余地もない。
そこで、本発明は、使用中の水不足による分析の中断を自動的に防止できる自動分析装置を提供する。
【課題を解決するための手段】
【００１１】
上記課題を解決するために、本発明は、例えば特許請求の範囲に記載の構成を採用する。本明細書は上記課題を解決する手段を複数含んでいるが、その一例を挙げるならば、「外部から供給される水を使用する複数の分析部と、前記分析部に動作の指示を与える操作部と、前記分析部の動作を制御するプログラムを実行する制御部とを有し、前記制御部は、前記操作部を通じて入力された指示に応じ、水を使用するメンテナンスを全ての前記分析部について同時に実行するか時間差で実行するかを切り替える自動分析装置。」である。
【発明の効果】
【００１２】
本発明により、使用中の水不足による分析の中断を自動的に防止することができる検査室を構築することができる。前述した以外の課題、構成及び効果は、以下の実施の形態の説明により明らかにされる。
【図面の簡単な説明】
【００１３】
【図１】実施例に係る自動分析装置の概略的構成を示す図。
【図２】メンテナンスの実行指示画面例を示す図。
【図３】時間差メンテナンスにチェックを入れない場合（通常時）の動作を説明するフローチャート。
【図４】時間差メンテナンスにチェックを入れた場合の動作を説明するフローチャート。
【図５】時間差メンテナンスにチェックを入れた場合にメンテナンスを細分化して実行するときの動作を説明するフローチャート。
【図６】分析部を３台有する自動分析装置に用いるメンテナンスの実行指示画面例を示す図。
【図７】分析部を３台有する自動分析装置において時間差メンテナンスにチェックを入れた場合の動作を説明するフローチャート。
【図８】自動分析装置に外部から供給する水の供給量と各分析部が使用する水の必要量とを設定する画面例を示す図。
【図９】図８で設定した情報に基づいて時間差メンテナンスの実行の有無を自動的に設定する動作を説明するフローチャート。
【発明を実施するための形態】
【００１４】
以下、図面に基づいて、本発明の実施の形態を説明する。なお、本発明の実施の態様は、後述する実施例に限定されるものではなく、その技術思想の範囲において、種々の変形が可能である。
【００１５】
（１）実施例１
（１−１）装置構成
図１に、自動分析装置１００の構成例を示す。操作部１０２はコンピュータ（ＣＰＵ、記憶部、インターフェース）を有し、分析部を含む自動分析装置１００の動作を制御する。ＣＰＵは、プログラムの実行により分析部の動作を制御する制御部として機能する。操作部１０２は、付属するディスプレイ１０１に各種の情報を表示し、オペレータに自動分析装置１００の状態を通知する。また、操作部１０２は、ディスプレイ１０１に各種の操作画面を表示し、操作画面に対するオペレータの操作入力を通じて自動分析装置１００の動作を制御する。
【００１６】
操作部１０２は、接続ケーブル１０８を通じて装置本体と接続されている。装置本体は、検体容器１０９を架設する検体投入部１０３と、反応容器に分注された検体と試薬を反応させて分析を行う分析部１（１０４）及び分析部２（１０５）と、分析の終わった検体を収納する検体収納部１０６と、検体容器１０９を搬送する検体搬送部１０７とで構成される。検体搬送部１０７は、検体投入部１０３、分析部１（１０４）、分析部２（１０５）及び検体収納部１０６を横断的に接続するレーンで構成され、検体容器１０９はホルダ（カップ、ラック等）に搭載された状態で搬送される。
【００１７】
分析部１（１０４）には、検体容器１０９から検体（試料）を分取する検体分注機構１１１、検体を分注して試薬と反応させる反応容器を円周方向に沿って架設する反応ディスク１１４、複数の試薬ボトル１１６を架設することができ、検査項目に応じて回転する試薬ディスク１１５、試薬ボトル１１６から分取した試薬を、反応ディスク１１４に架設された反応容器に分注する試薬分注機構１（１１２）及び試薬分注機構２（１１３）が配置されている。通常の検査には、第一試薬と第二試薬の二種類が用いられることが多いため、分析部１（１０４）には、２つの試薬分注機構が設けられている。反応ディスク１１４には反応槽が設けられており、反応容器は反応槽内の水に浸された状態で保持される。反応容器が反応槽内の水に浸されていることにより、反応容器内の検体と試薬の反応中の温度が一定に保たれる。分析部２（１０５）は、分析部１（１０４）と同等の機構を有する。
【００１８】
自動分析装置１００では、検体分注機構１１１、反応ディスク１１４に搭載された反応容器、試薬分注機構１（１１２）、試薬分注機構２（１１３）が、複数の測定で繰り返し使用される。そこで、自動分析装置１００では、例えば以下の影響を無くす目的で純水による洗浄（メンテナンス）が実行される。
・ある患者から採取した検体に含まれる成分が別の患者から採取した検体の測定に影響しないようにするため。
・ある項目の測定と別の項目の測定との間で試薬に含まれる成分が影響しないようにするため。
【００１９】
使用中に蓄積する汚れを落とすには、取扱説明書で規定されたメンテナンスの実行が欠かせない。このメンテナンスの一つに、反応槽水の交換がある。反応槽水の交換は、反応槽中に満たされている水を排出し、その後、再び反応槽を水で満たすメンテナンスのことである。反応槽中の汚れを落とすために、排水と給水を繰り返す場合もある。
【００２０】
（１−２）メンテナンス実行指示画面
図２に、反応槽水の交換の実行を指示する際に使用される画面（メンテナンス実行指示画面２０１）の一例を示す。メンテナンス実行指示画面２０１には、メンテナンスの「実行」を指示する実行ボタン２０２と、メンテナンスの実行を行なわずに画面を閉じるキャンセルボタン２０３と、メンテナンスを実行する分析部を指定する分析部１ボタン２０５及び分析部２ボタン２０６と、時間差メンテナンス指定チェックボックス２０４とが配置されている。時間差メンテナンス指定チェックボックス２０４にチェックを入れるか否かでメンテナンスの実行時の動作が変更される。
【００２１】
（１−３）メンテナンス動作
（１−３−１）通常時
図３に、時間差メンテナンス指定チェックボックス２０４（図２）にチェックが入っていない場合に実行される動作の流れを示す。制御部（ＣＰＵ）は、実行ボタン２０２が押されたことを検知すると（実行ボタン押下処理３０１）、時間差メンテナンス指定チェックボックス２０４のチェック状態の読取処理３０２を実行する。
【００２２】
図３はチェックが入っていない場合の動作なので、制御部（ＣＰＵ）は、分析部１のメンテナンス動作実行処理３０３と分析部２のメンテナンス動作実行処理３０４を同時に実行する。分析部１のメンテナンス動作実行処理３０３では、制御部（ＣＰＵ）は、分析部１（１０４）に反応槽の水交換指示を出す。同様に、分析部２のメンテナンス動作実行処理３０４では、制御部（ＣＰＵ）は、分析部２（１０５）に反応槽の水交換指示を出す。
【００２３】
２台の分析部１０４及び１０５が同時に動作する場合、自動分析装置１００は、１台の分析部が消費する水量の２倍の水量を一度に供給しなければならない。供給可能な水量が２台分の給水量に満たない場合、自動分析装置１００は、アラームを発して、メンテナンスを中断する。分析部１（１０４）のメンテナンス動作実行処理３０３と、分析部２（１０５）のメンテナンス動作実行処理３０４が終了すると、制御部（ＣＰＵ）は、メンテナンス終了処理３０５に進んでメンテナンス状態を終了する。
【００２４】
（１−３−２）時間差メンテナンス
図４に、時間差メンテナンス指定チェックボックス２０４（図２）にチェックが入っている場合に実行される動作の流れを示す。制御部（ＣＰＵ）は、実行ボタン２０２が押されたことを検知すると（実行ボタン押下処理４０１）、時間差メンテナンス指定チェックボックス２０４のチェック状態の読取処理４０２を実行する。
【００２５】
図４はチェックが入っている場合の動作なので、制御部（ＣＰＵ）は、メンテナンス動作を一台ずつ時間差で実行する。図４の場合、制御部（ＣＰＵ）は、最初に、分析部１（１０４）のメンテナンス動作実行処理４０３を実行し、分析部１（１０４）に反応槽の水交換指示を出す。分析部１（１０４）の反応槽の水交換が終わると、制御部（ＣＰＵ）は、分析部２（１０５）のメンテナンス動作実行処理４０４を実行し、分析部２（１０５）に反応槽の水交換指示を出す。
【００２６】
時間差メンテナンスの場合、分析部が１台ずつ動作するため、２台の分析部１０４及び１０５を有する構成であっても、水交換メンテナンスに必要な最大使用量は１台分の使用量でよい。分析部２（１０５）の反応槽の水交換が終了すると、制御部（ＣＰＵ）は、メンテナンス終了処理４０５に進んでメンテナンス状態を終了する。
【００２７】
（１−３−３）部分時間差メンテナンス
図４に示す時間差メンテナンスでは、２台の分析部１０４及び１０５の水交換メンテナンスが逐次実行されるので、図３に示す通常時の水交換メンテナンスの２倍の時間を要する。そこで、図５に、給水を必要としない動作部分だけを同時に実行することにより、図４に示す時間差メンテナンスに比して動作時間が少なく済むメンテナンス動作を示す。
【００２８】
制御部（ＣＰＵ）は、実行ボタン２０２が押されたことを検知すると（実行ボタン押下処理５０１）、時間差メンテナンス指定チェックボックス２０４のチェック状態の読取処理５０２を実行する。
【００２９】
図５はチェックが入っている場合の動作なので、制御部（ＣＰＵ）は、分析部１（１０４）のメンテナンス動作実行処理のうちの前半部の処理（すなわち、水を使用しない処理）５０３を実行し、分析部１（１０４）に水抜きを指示する。同時に、制御部（ＣＰＵ）は、分析部２（１０５）のメンテナンス動作実行処理のうちの前半部の処理（すなわち、水を使用しない処理）５０４を実行し、分析部２（１０５）に水抜きを指示する。
【００３０】
分析部１（１０４）の水抜き処理と分析部２（１０５）の水抜き処理が共に終了すると、制御部（ＣＰＵ）は、分析部１（１０４）のメンテナンス動作実行処理のうちの後半部の処理（すなわち、水を使用する処理）５０５を開始し、分析部１（１０４）に水補給処理の指示を出す。
【００３１】
分析部１（１０４）の水補給処理が終了すると、制御部（ＣＰＵ）は、分析部２（１０５）のメンテナンス動作実行処理のうちの後半部の処理（すなわち、水を使用する処理）５０６を開始し、分析部２（１０５）に水補給処理の指示を出す。
【００３２】
分析部２（１０５）の水補給処理が終了すると、制御部（ＣＰＵ）は、メンテナンス終了処理５０７に進んでメンテナンス状態を終了する。図５に示すメンテナンス動作の場合、分析部１（１０４）と分析部２（１０５）の水抜き動作が並行して行なわれるため、水抜きに要する時間を１台分の時間に短縮することができる。その分、図５に示すメンテナンスの総動作時間は、図４に示すメンテナンスの総動作時間よりも短く済む。
【００３３】
（２）実施例２
本実施例では、自動分析装置１００が３台以上の分析部を有する場合について説明する。図６に、本実施例で使用されるメンテナンス実行指示画面６０１の一例を示す。メンテナンス実行指示画面６０１には、メンテナンスの「実行」を指示する実行ボタン６０２と、メンテナンスの実行を行なわずに画面を閉じるキャンセルボタン６０３と、メンテナンスを実行する分析部を指定する分析部１ボタン６０５及び分析部２ボタン６０６と、分析部３ボタン６０７と、時間差メンテナンス指定チェックボックス６０４と、同時実行の対象範囲を選択するメニューボックス６０８とが配置されている。時間差メンテナンス指定チェックボックス６０４と、図２の時間差メンテナンス指定チェックボックス２０４とは同じ機能を意味する。
【００３４】
実施例１では、時間差メンテナンスの対象範囲が、自動分析装置１００に搭載された全ての分析部（すなわち、分析部１０４及び１０５）であった。本実施例では、メニューボックス６０８に対する選択入力を通じ、時間差メンテナンスを実行する分析部の範囲（対象範囲）を選択することができる。図６は、３台の分析部のうちの２台の分析部が同時実行の対象範囲に選択された状態を示している。時間差メンテナンスを実行する分析部の範囲（対象範囲）を選択するメニューボックス６０８では、「１台のみの実行」と「２台の同時実行」を選択できる。
【００３５】
オペレータが「１台のみの実行」を選んだ場合、制御部（ＣＰＵ）は、３台の分析部に対して１台ずつ順番に水交換メンテナンスを行う。オペレータが「２台の同時実行」を選んだ場合、制御部（ＣＰＵ）は、３台の分析部のうち２台の分析部について水交換メンテナンスを同時に実行し、この水交換メンテナンスの終了後、３台目の分析部について水交換メンテナンスを実行する。
【００３６】
図７に、オペレータが、時間差メンテナンス指定チェックボックス６０４にチェックを入れると共に、メニューボックス６０８で「２台の同時実行」を選択した場合に実行される時間差メンテナンス動作を示す。
【００３７】
制御部（ＣＰＵ）は、実行ボタン６０２が押されたことを検知すると（実行ボタン押下処理７０１）、時間差メンテナンス指定チェックボックス６０４のチェック状態の読取処理７０２を実行する。チェックが入っていた場合、制御部（ＣＰＵ）は、メニューボックス６０８の選択状態の読取処理７０３を実行し、水交換メンテナンスを同時実行する分析部の対象範囲を読み取る。
【００３８】
図７は「２台の同時実行」が選ばれている場合の動作なので、制御部（ＣＰＵ）は、分析部１のメンテナンス動作実行処理７０４と分析部２のメンテナンス動作実行処理７０５の実行を同時に指示する。すなわち、制御部（ＣＰＵ）は、分析部１（１０４）と分析部２（１０５）のそれぞれに対して同時に反応槽の水交換指示を出す。
【００３９】
分析部１（１０４）の水交換と分析部２（１０５）の水交換がいずれも終了すると、制御部（ＣＰＵ）は、分析部３のメンテナンス動作実行処理７０６の実行を指示し、分析部３（不図示）に反応槽の水交換指示を出す。分析部３のメンテナンス動作実行処理７０６が終了すると、制御部（ＣＰＵ）は、メンテナンス終了処理７０７に進んでメンテナンス状態を終了する。
【００４０】
なお、メニューボックス６０８で「１台のみ実行」が選ばれていた場合、制御部（ＣＰＵ）は、図４に示した動作と同様、３台の分析部に対して１台ずつ順番に水交換メンテナンスの指示を出す。因みに、時間差メンテナンス指定チェックボックス６０４にチェックが入っていない場合、制御部（ＣＰＵ）は、３台の分析部に対して同時に水交換メンテナンスの実行を指示する。
【００４１】
分析部の台数が４台以上になっても、本実施例の仕組みは適用できる。その場合、メニューボックス６０８で指定可能な台数の最大値は、総台数から１を引いた数とすればよい。オペレータによって選ばれた台数に応じ、制御部（ＣＰＵ）は、水交換メンテナンスの実行スケジュールを制御する。
【００４２】
複数の分析部を有する自動分析装置には、一部の分析部を動作させないように制御できるものがある。このような場合には、実行可能な状態な分析部に対してのみ、前述の仕組みを適用することができる。例えば自動分析装置１００が３台の分析部を有する場合であって、分析部１が分析動作を実行しない設定になっているとき、制御部（ＣＰＵ）は、分析部２と分析部３の２台についてのみ水交換メンテナンスの同時実行を指示する。この指示の内容は、前記の条件に加え、メニューボックス６０８で「２台の同時実行」が選択されている場合も同様である。なお、メニューボックス６０８で「１台のみ実行」が選択されている場合、制御部（ＣＰＵ）は、分析部２の水交換メンテナンスが終了した後、分析部３の水交換メンテナンスを実行する。
【００４３】
なお、図６では、時間差メンテナンス指定チェックボックス６０４とメニューボックス６０８がメンテナンス実行指示画面６０１内に配置されているが、これらは別の画面に配置されていてもよい。その場合、水交換メンテナンスの実行に際し、制御部（ＣＰＵ）は、記憶部から各画面で指示された情報を読み出し、同時に動作させる分析部の台数を決定する。
【００４４】
（３）実施例３
前述の実施例では、メンテナンス実行指示画面２０１、６０１を通じ、オペレータが時間差メンテナンスを実行するか否かを指示していたが、予めオペレータによって設定された「水供給量」と「必要量」とに基づいて、制御部（ＣＰＵ）が、時間差メンテナンスを実行するか否かを自動的に設定するようにしてもよい。
【００４５】
図８に、本実施例で使用する水交換時水使用量設定画面８０１の一例を示す。水交換時水使用量設定画面８０１には、画面内に入力された値を登録する設定登録ボタン８０２、画面で設定された値に基づいて自動判定を実行するか否かを指示するチェックボックス（自動判定の有効設定チェックボックス）８０３、時間当たりで自動分析装置に供給可能な水量の値を入力する水供給量の入力エリア８０４、分析部１が時間当たりで必要とする水の量（必要量）の値を入力するエリア（分析部１の水必要量入力エリア）８０５、分析部２が１時間当たりで必要とする水の量（必要量）の値を入力するエリア（分析部２の水必要量入力エリア）８０６、分析部３が時間当たりで必要とする水の量（必要量）の値を入力するエリア（分析部３の水必要量入力エリア）８０７が配置される。オペレータは、この水交換時水使用量設定画面８０１を用いて、「供給水量」と、「必要量」と、自動判定の実行の有無を設定登録する。
【００４６】
最初に、制御部（ＣＰＵ）は、自動判定の有効設定チェックボックス８０３にチェックが入っているか否かを判定する。自動判定の有効設定チェックボックス８０３にチェックが入っている場合、制御部（ＣＰＵ）は、設定登録されている値に基づいて時間差メンテナンスを実行するか否かを自動的に判定する。
【００４７】
図９に、自動判定の有効設定チェックボックス８０３にチェックが入っている場合の動作の流れを示す。自動判定の有効設定チェックボックス８０３にチェックが入っている場合、制御部（ＣＰＵ）は、自動実行処理９０１を開始する。次に、制御部（ＣＰＵ）は、設定水量の読取処理９０２を実行する。ここで、制御部（ＣＰＵ）は、不図示の記憶部から、水供給量の入力エリア８０４、分析部１の水必要量入力エリア８０５、分析部２の水必要量入力エリア８０６、分析部３の水必要量入力エリア８０７に設定されている水量の値を読み出す。
【００４８】
設定水量の読取が終了すると、制御部（ＣＰＵ）は、「水供給量」と「合計水量」の大小関係を判定する（処理９０３）。「合計水量」は、分析部１の水必要量入力エリア８０５に設定されている水の必要量の値、分析部２の水必要量入力エリア８０６に設定されている水の必要量の値、分析部３の水必要量入力エリア８０７に設定されている水の必要量の値の合計値であり、制御部（ＣＰＵ）において算出される。
【００４９】
「供給水量」が「合計水量」より少ない場合、制御部（ＣＰＵ）は、時間差メンテナンスのチェック状態を「有」に設定する（処理９０４）。一方、「水供給量」が「合計水量」以上の場合、制御部（ＣＰＵ）は、時間差メンテナンスのチェック状態を「無」に設定する（処理９０５）。この設定後、制御部（ＣＰＵ）は、判定処理を終了する（処理９０６）。
【００５０】
以上の判定処理の終了後、制御部（ＣＰＵ）は、時間差メンテナンスのチェック状態に応じ、水交換メンテナンスを実行する。例えば時間差メンテナンスのチェック状態が「有」の場合、制御部（ＣＰＵ）は、例えば水の必要量の合計水量が水供給量を超えない分析部の組み合わせを決定し、決定された組み合わせの分析部について同時に水交換メンテナンスを実行し、その後、残りの分析部について水交換メンテナンスを実行する。一方、時間差メンテナンスのチェック状態が「無」の場合、制御部（ＣＰＵ）は、図３に示すように全ての水交換メンテナンスを全ての分析部について同時に実行する。
【００５１】
（４）他の実施例
本発明は、上述した実施例に限定されるものでなく、様々な変形例を含んでいる。例えば、上述した実施例は、本発明を分かりやすく説明するために詳細に説明したものであり、必ずしも説明した全ての構成を備える必要はない。また、ある実施例の構成の一部を他の実施例の構成に置き換えることができる。また、ある実施例の構成に他の実施例の構成を加えることもできる。また、各実施例の構成の一部を削除することもできる。
【００５２】
また、上述した各構成、機能、処理部、処理手段等は、それらの一部又は全部を、例えば集積回路で設計する等によりハードウェアで実現しても良い。また、上記の各構成、機能等は、プロセッサがそれぞれの機能を実現するプログラムを解釈し、実行することにより（すなわちソフトウェア的に）実現しても良い。各機能を実現するプログラム、テーブル、ファイル等の情報は、メモリ、ハードディスク、SSD（Solid State Drive）等の記憶装置、又は、ICカード、SDカード、DVD等の記憶媒体に格納することができる。また、制御線や情報線は、説明上必要と考えられるものを示すものであり、製品上必要な全ての制御線や情報線を表すものでない。実際にはほとんど全ての構成が相互に接続されていると考えて良い。
【符号の説明】
【００５３】
１００…自動分析装置
１０１…ディスプレイ
１０２…操作部
１０３…検体投入部
１０４…分析部１
１０５…分析部２
１０６…検体収納部
１０７…検体搬送部
１０８…接続ケーブル
１０９…検体容器
１１１…検体分注機構
１１２…試薬分注機構１
１１３…試薬分注機構２
１１４…反応ディスク
１１５…試薬ディスク
１１６…試薬ボトル
２０１…メンテナンス実行指示画面
２０２…実行ボタン
２０３…キャンセルボタン
２０４…時間差メンテナンス指定チェックボックス
２０５…分析部１ボタン
２０６…分析部２ボタン
６０１…メンテナンス実行指示画面
６０２…実行ボタン
６０３…キャンセルボタン
６０４…時間差メンテナンス指定チェックボックス
６０５…分析部１ボタン
６０６…分析部２ボタン
６０７…分析部３ボタン
６０８…メニューボックス
８０１…水交換時水使用量設定画面
８０２…設定登録ボタン
８０３…自動判定の有効設定チェックボックス
８０４…水供給量の入力エリア
８０５…分析部１の水必要量入力エリア
８０６…分析部２の水必要量入力エリア
８０７…分析部３の水必要量入力エリア 
【図１】
2017033597.tif 000003
【図２】
2017033597.tif 000004
【図３】
2017033597.tif 000005
【図４】
2017033597.tif 000006
【図５】
2017033597.tif 000007
【図６】
2017033597.tif 000008
【図７】
2017033597.tif 000009
【図８】
2017033597.tif 000010
【図９】
2017033597.tif 000011
【国際調査報告】
2017033597.tif 000012
2017033597.tif 000013